(57)【特許請求の範囲】
【請求項１】
大型建材の施工方法であって、
大型建材の下端部を載置するための側面視Ｌ字状の載置部材と、大型建材の上端部を立て掛けるための受け部材と、前記載置部材と前記受け部材を連結するとともに、前記載置部材と前記受け部材との距離を調整する調整手段を設けた連結部材を備える第１治具を用いて、
大型建材を前記大型建材の正面側を前記受け部材に向けて前記載置部材に載せる第１工程と、
挟持機能を有する、前記第１治具とは独立する第２治具を用いて、前記大型建材の上端部と前記受け部材および／または前記大型建材の下端部と前記載置部材を挟持する第２工程と、
前記第１治具に載せた前記大型建材を移動する第３工程と、
壁面内における前記大型建材の施工位置に接着剤を塗布するとともに、前記大型建材を前記第１治具に載せた状態で前記載置部材の下端部を差し入れることによって前記大型建材の下端部を壁面の施工位置に当接する第４工程と、
前記第２治具を除去し、前記大型建材を前記受け部材から前記壁面に倒すことによって、前記大型建材の上端部を壁面の施工位置に当接し、
さらに前記第２治具を再度用いて十分な接着強度が発現するまで前記大型建材の上端部および／または下端部と前記壁面とを挟持する第５工程を備えることを特徴とする大型建材の施工方法。
【請求項２】
大型建材の施工方法であって、
大型建材の下端部を載置するための載置部材と、大型建材の上端部を立て掛けるための受け部材と、前記載置部材と前記受け部材を連結する連結部材を備える第１治具を用いて、
大型建材を前記大型建材の正面側を前記受け部材に向けて前記載置部材に載せる第１工程と、
挟持機能を有する第２治具を用いて、前記大型建材の上端部と前記受け部材および／または前記大型建材の下端部と前記載置部材を挟持する第２工程と、
前記第１治具に載せた前記大型建材を移動する第３工程と、
上辺板部と中辺板部と下辺板部から構成される側面視クランク状の板状部材と、前記上辺板部および／または前記下辺板部に連結した、同一方向に突設する２つの挿入部材と、前記上辺板部および／または前記下辺板部に設けた、前記２つの挿入部材の間隔を変更する間隔変更部材を備える第３治具を用いて、大型建材の施工位置の下端部に存在する壁パネルの階間の隙間に前記第３治具を挿入するとともに、前記間隔変更部材を用いて前記第３治具を仮固定する治具仮固定工程と、
前記大型建材を前記第１治具に載せた状態で前記大型建材の下端部を前記挿入部材に降ろした後、前記大型建材の下端部を前記挿入部材上で滑らせて壁面の施工位置に誘導し当接する誘導工程とを備える第４工程と、
前記第２治具を除去し、前記大型建材を前記受け部材から前記壁面に倒すことによって、
前記大型建材の上端部を壁面の施工位置に当接する第５工程を備えることを特徴とする大型建材の施工方法。
【発明の詳細な説明】
【技術分野】
【０００１】
本発明は、大型建材（特に、大型のタイル外装材）を施工するための治具に関するものであり、詳しくは建材を破損させることなく施工位置まで移動させることができ、また少人数で安全かつ容易に施工することができる大型建材用施工治具に関するものである。また、この大型建材用施工治具を用いた大型建材の施工方法に関するものである。
【背景技術】
【０００２】
近年、意匠性の高さや工期を短縮できることなどから外装材の大型化が行われており、このような大型の外装材を施工するための治具や施工方法が各種開発されている。特に、タイルタイプの外装材（磁器質陶板）については、近年、更に大型化が進んでおり、係る外装材を施工するための治具や施工方法を開発する必要が生じている。
【０００３】
従前においても、特許文献１や２において開示されているとおり、大型の外装材を施工するための治具が開発されているが、これらの治具はタイル外装材の施工後の剥離防止（特許文献１）や、壁面にタイル外装材を取り付ける際の位置決め作業の向上や施工後の剥離防止（特許文献２）を目的とするものとなっている。
【０００４】
しかしながら、大型の外装材は寸法が大きい故に重量も大きいものとなるため、施工位置に移動する作業や実際に施工位置に取り付ける作業に設備や労力を要するものとなっている。また、寸法が大きい故に、係る作業時に破損が生じやすいものとなっている。つまり、大型の外装材を施工する際において最も注意を要する段階（工程）は、大型の外装材を施工位置に移動する段階（工程）や実際に施工位置に取り付ける段階（工程）となっているのである。
従って、大型の外装材を施工するための治具や施工方法においては、大型の外装材を施工位置に移動する段階（工程）や実際に施工位置に取り付ける段階（工程）において有用なものであることが重要となってくる。
【０００５】
ここで、特許文献３には、昇降可能な作業構台を設けて、係る作業構台に外装資材を載せて施工位置まで上昇させるとともに、作業構台内において外装資材を組み立てて施工する外装施工方法が開示されている。
【先行技術文献】
【特許文献】
【０００６】
【特許文献１】特開平４−１０８９５０号公報
【特許文献２】特開平５−１４８９７３号公報
【特許文献３】特開平６−１８５２０９号公報
【発明の概要】
【発明が解決しようとする課題】
【０００７】
しかしながら、特許文献３の施工方法は作業構台内において外装資材を組み立てることを前提としているものとなっており、用いられる作業構台も単なる昇降棚であり、大型の外装材をそのまま載せて施工位置まで破損などを生じることなく安全に上昇させることが極めて困難なものとなっている。
【０００８】
今般、本発明者らは、鋭意検討を行った結果、特定の構成とすることによって、大型建材（特に、大型のタイル外装材）を破損させることなく施工位置まで移動させることができ、また少人数で安全かつ容易に施工することができる治具を開発するに至った。
【０００９】
本発明は、上記した従来の問題点に鑑みてなされたものであって、大型建材（特に、大型のタイル外装材）を破損させることなく施工位置まで移動させることができ、また少人数で安全かつ容易に施工することができる治具を提供することを目的とするものである。また、この大型建材用施工治具を用いた大型建材の施工方法を提供することを目的とするものである。
【課題を解決するための手段】
【００１１】
本発明の請求項１に係る大型建材の施工方法は、大型建材の下端部を載置するための側面視Ｌ字状の載置部材と、大型建材の上端部を立て掛けるための受け部材と、載置部材と受け部材を連結するとともに、載置部材と受け部材との距離を調整する調整手段を設けた連結部材を備える第１治具を用いて、大型建材を大型建材の正面側を受け部材に向けて載置部材に載せる第１工程と、挟持機能を有する、第１治具とは独立する第２治具を用いて、大型建材の上端部と受け部材および／または大型建材の下端部と載置部材を挟持する第２工程と、第１治具に載せた大型建材を移動する第３工程と、壁面内における大型建材の施工位置に接着剤を塗布するとともに、大型建材を第１治具に載せた状態で載置部材の下端部を差し入れることによって大型建材の下端部を壁面の施工位置に当接する第４工程と、第２治具を除去し、大型建材を受け部材から壁面に倒すことによって、大型建材の上端部を壁面の施工位置に当接し、さらに第２治具を再度用いて十分な接着強度が発現するまで大型建材の上端部および／または下端部と壁面とを挟持する第５工程を備えることを特徴とする。
【００１２】
本発明の請求項２に係る大型建材の施工方法は、大型建材の下端部を載置するための載置部材と、大型建材の上端部を立て掛けるための受け部材と、載置部材と受け部材を連結する連結部材を備える第１治具を用いて、大型建材を大型建材の正面側を受け部材に向けて載置部材に載せる第１工程と、挟持機能を有する第２治具を用いて、大型建材の上端部と受け部材および／または大型建材の下端部と載置部材を挟持する第２工程と、第１治具に載せた大型建材を移動する第３工程と、上辺板部と中辺板部と下辺板部から構成される側面視クランク状の板状部材と、上辺板部および／または下辺板部に連結した、同一方向に突設する２つの挿入部材と、上辺板部および／または下辺板部に設けた、２つの挿入部材の間隔を変更する間隔変更部材を備える第３治具を用いて、大型建材の施工位置の下端部に存在する壁パネルの階間の隙間に第３治具を挿入するとともに、間隔変更部材を用いて第３治具を仮固定する治具仮固定工程と、大型建材を第１治具に載せた状態で大型建材の下端部を挿入部材に降ろした後、大型建材の下端部を挿入部材上で滑らせて壁面の施工位置に誘導し当接する誘導工程とを備える第４工程と、第２治具を除去し、大型建材を受け部材から壁面に倒すことによって、大型建材の上端部を壁面の施工位置に当接する第５工程を備えることを特徴とする。
【発明の効果】
【００１３】
本発明に係る大型建材用施工治具によれば、側面視Ｌ字状の載置部材と受け部材と連結部材を備えているので、大型建材（特に、大型のタイル外装材）を破損させることなく施工位置まで移動させることができる。
【００１４】
本発明の請求項２に係る大型建材の施工方法によれば、本発明に係る大型建材用施工治具（第１治具）を用いた第１工程と、挟持機能を有する第２治具を用いて、大型建材の上端部と受け部材および／または大型建材の下端部と載置部材を挟持する第２工程と、第１治具に載せた大型建材を移動する第３工程と、大型建材を第１治具に載せた状態で大型建材の下端部を壁面の施工位置に当接する第４工程と、第２治具を除去し、大型建材を受け部材から壁面に倒すことによって、大型建材の上端部を壁面の施工位置に当接する第５工程を備えているので、大型建材（特に、大型のタイル外装材）を破損させることなく、少人数で安全かつ容易に施工することができる。
【００１５】
本発明の請求項３に係る大型建材の施工方法によれば、第４工程に替えて、第３治具を用いた治具仮固定工程と、第１治具に載せた状態の大型建材の下端部を第３治具の挿入部材上で滑らせて壁面の施工位置に誘導し当接する誘導工程とを備えているので、多層階において大型建材（特に、大型のタイル外装材）を施工する際にも建材を破損させることなく、少人数で安全かつ容易に施工することができる。
【図面の簡単な説明】
【００１６】
【図１】本発明に係る大型建材用施工治具を示す模式図である。
【図２】本発明に係る大型建材の施工方法の第１工程を示す模式図である。
【図３】本発明に係る大型建材の施工方法の第２工程を示す模式図である。
【図４】本発明に係る大型建材の施工方法に用いる第２治具を示す模式図である。
【図５】本発明に係る大型建材の施工方法の第３工程を示す模式図である。
【図６】本発明に係る大型建材の施工方法の第４工程を示す模式図である。
【図７】本発明に係る大型建材の施工方法の第５工程を示す模式図である。
【図８】本発明に係る大型建材の施工方法の治具仮固定工程を示す模式図である。
【図９】本発明に係る大型建材の施工方法に用いる第３治具を示す模式図である。
【図１０】本発明に係る大型建材の施工方法の誘導工程を示す模式図である。
【発明を実施するための形態】
【００１７】
本発明の実施形態を図面に基づいて説明する。なお、以下に述べる実施形態は本発明を具体化した一例に過ぎず、本発明の技術的範囲を限定するものでない。
【００１８】
まず、本発明に係る大型建材用施工治具の構成を図１に基づいて説明する。図１は本発明に係る大型建材用施工治具を示す模式図である。
【００１９】
図１に示すとおり、本発明に係る大型建材用施工治具１は、大型建材の下端部を載置するための載置部材２を下端部に設け、大型建材の上端部を立て掛けるための受け部材３を上端部に設け、載置部材２と受け部材３を連結する連結部材４を設けた、正面視Ｉ字状の構造となっている。
【００２０】
ここで、載置部材２については、大型建材の下端部を載置する際に作業がし易くなることから、図１に示すように側面視においてＬ字状の形状とすることが好ましい。一方、受け部材３の形状については特に限定されず、図１に示すように側面視において逆Ｌ字状の形状としても良いし、単なる板状の形状などそれ以外の各種の形状を採用することもできる。また、連結部材４の形状についても特に限定されず、図１に示すように棒状の形状としても良いし、単なる板状の形状などそれ以外の各種の形状を採用することもできる。
【００２１】
また、載置部材２、受け部材３、連結部材４には、吊り下げ用の把手部またはフックを設けることもできる。例えば、図１に示すように受け部材３の上端部に吊り下げ用の把手部５を設けた構造などを挙げることができる。
【００２２】
また、載置部材２、受け部材３、連結部材４には、大型建材を載置する際や立て掛ける際の大型建材の破損を防止するための緩衝材（図示せず）を取り付けることもできる。
【００２３】
なお、載置部材２、受け部材３、連結部材４の材質については特に限定されるものではなく、金属、プラスチック、木材など各種の材質を用いることができる。
【００２４】
連結部材４については、さらに載置部材２と受け部材３との距離を調節する調整手段６を設けることもできる。
なお、調整手段６の構造としては載置部材２と受け部材３との距離を調節することができるものであれば特に限定されるものではないが、例えば、受け部材３をボルト止めするためのボルト通し孔（６ａ、６ｂ）を連結部材４の上方部に数箇所設けた構造などを挙げることができる。
そして、高さ方向の寸法が大きい大型建材を施工する場合には、図１（ａ）に示すように連結部材４の最上部に設けたボルト通し孔（６ａ）に予めボルト通し孔（図示せず）を設けた受け部材３の孔を合せた後にボルトを通してナット止めし、高さ方向の寸法が小さい大型建材を施工する場合には、図１（ｂ）に示すように連結部材４の最上部よりも下方に設けた孔（６ｂ）に受け部材３のボルト通し孔（図示せず）を合せた後にボルトを通してナット止めすることによって、載置部材２と受け部材３との距離を調節する方法などを挙げることができる。
【００２５】
次に、上記のように構成された大型建材用施工治具の動作（本発明に係る大型建材の施工方法）および作用を説明する。図２は本発明に係る大型建材の施工方法の第１工程を示す模式図であり、図３は本発明に係る大型建材の施工方法の第２工程を示す模式図であり、図４は本発明に係る大型建材の施工方法に用いる第２治具を示す模式図であり、図５は  本発明に係る大型建材の施工方法の第３工程を示す模式図であり、図６は本発明に係る大型建材の施工方法の第４工程を示す模式図であり、図７は本発明に係る大型建材の施工方法の第５工程を示す模式図である。
【００２６】
（第１工程）
まず、施工する大型建材７を横倒しにして、係る状態の大型建材７の両端を作業者が必要に応じて補助治具（図示せず）などを用いて持ち上げて載置部材２の近くまで移動させる。
次に、作業者が大型建材７を立ち上げて、図２に示すように大型建材７の正面側が受け部材３に向くように（大型建材７の裏面７ａが開放されるように）大型建材７の下端部を載置部材２上に載置する。なおこの際、必要に応じて、大型建材７の裏面（施工面）に接着剤を塗布しておくこともできる。
【００２７】
（第２工程）
次に、大型建材７の上端部を受け部材３に立て掛け、図３に示すように挟持機能を有する第２治具８を用いて、大型建材７の上端部と受け部材３を挟持、すなわち大型建材７を第１治具１（本発明に係る大型建材用施工治具１）に固定する。なお、図３においては大型建材７の上端部と受け部材３を挟持しているが、これに限定されるものではなく、必要に応じて、大型建材の下端部と載置部材を挟持しても良いし、大型建材の下端部と上端部の両方を載置部材および受け部材で挟持してもよい。
【００２８】
（第２治具）
ここで、第２工程において用いる第２治具としては、挟持機能を有するものであれば構造は特に限定されず、例えば図４に示すようなコの字状の本体部９と締付ボルト部１０と押さえ部１１を備えるクランプ１２などを挙げることができる。
【００２９】
（第３工程）
次に、大型建材７を載せた第１治具１を施工位置まで移動する。ここで、大型建材７は第１治具１に載せられており、さらに第２治具８によって第１治具１に固定されていることから、破損させることなく施工位置まで移動させることができることになる。
なお、移動手段については特に限定されないが、図５に示すように足場１３に横桟１４を取り付け、この横桟１４に簡易ウインチ１５を設置する手段を採用すれば、簡易ウインチ１５のフック１６を第１治具１の把手部５に引っ掛けるだけで、大掛かりな設備を用いることなく、第１治具１を吊り上げたり、横桟１４に沿って横移動したりすることで大型建材７を施工位置まで移動することができるので好適である。
【００３０】
（第４工程）
次に、壁面１７内における大型建材７の施工位置に接着剤を塗布した後、図６に示すように大型建材７を第１治具１に載せた状態で載置部材２の下端部を差し入れることによって大型建材７の下端部を壁面１７の施工位置に当接する。
【００３１】
（第５工程）
次に、大型建材７の上端部と載置部材２を挟持していた第２治具８を除去して、図７に示すように大型建材７を受け部材３から壁面１７に倒すことによって、大型建材７の上端部を壁面１７の施工位置に当接（接着）し、施工を完了する。なおこの際、除去した第２治具８を用いて、十分な接着強度が発現するまで大型建材７の上端部や下端部と壁面１７とを挟持することもできる。
【００３２】
従って、本発明に係る大型建材の施工方法は、本発明に係る大型建材用施工治具（第１治具１）を用いていることから、大型建材（特に、大型のタイル外装材）を破損させることなく、少人数で安全かつ容易に施工することができることになる。
また、大型建材の下端部が常に載置部材上に載置された状態で施工作業が行われることになることから、施工中に大型建材が落下することを防止することができ、安全かつ容易に施工することができることになる。
【００３３】
なお、上記は本発明に係る大型建材の施工方法の基本動作であるが、本発明に係る大型建材の施工方法はこれに限定されるものでなく、例えば多層階において大型建材を施工する場合には、第４工程に替えて別の工程を行うこともできる。図８は本発明に係る大型建材の施工方法の治具仮固定工程を示す模式図であり、図９は本発明に係る大型建材の施工方法に用いる第３治具を示す模式図であり、図１０は本発明に係る大型建材の施工方法の誘導工程を示す模式図である。
【００３４】
まず、第１工程から第３工程までを行う。
【００３５】
（治具仮固定工程）
次に、第４工程に替えて、板状部材１８と２つの挿入部材１９（１９ａ、１９ｂ）と間隔変更部材２０を備える第３治具２１を用いて、図８に示すように大型建材７の施工位置の下端部に存在する壁パネル２２の階間の隙間２３に第３治具２１を挿入し、間隔変更部材２０を用いて挿入部材１９（１９ａ、１９ｂ）の間隔を拡げることによって第３治具２１を仮固定する。
【００３６】
（第３治具）
ここで、第３工程において用いる第３治具としては、壁パネルの階間の隙間に仮固定できるものであれば構造は特に限定されないが、図９に示すように上辺板部１８ａと中辺板部１８ｂと下辺板部１８ｃから構成される側面視クランク状の板状部材１８と、上辺板部１８ａに連結した同一方向に突設する２つの挿入部材１９（１９ａ、１９ｂ）と、上辺板部１８ａに設けた２つの挿入部材の間隔を変更する間隔変更部材２０（図９においては挿入ボルトを採用）を備えるものを用いれば、後記する誘導工程をスムースに行うことができるので好適である。
【００３７】
（誘導工程）
次に、図１０（ａ）、（ｂ）に示すように大型建材７を第１治具１に載せた状態で大型建材７の下端部を、階間の隙間２３に仮固定した第３治具２１の挿入部材１９ａに降ろし、大型建材７の下端部を挿入部材１９ａ上で滑らせることによって大型建材７を壁面１７の施工位置に誘導する。
そして、その後は第５工程を行うことによって大型建材７の施工を完了する。
【００３８】
従って、多層階において大型建材を施工する場合においても、第３治具を用いることによって大型建材（特に、大型のタイル外装材）を破損させることなく、少人数で安全かつ容易に施工することができることになる。
また、大型建材の下端部が常に載置部材上または挿入部材上に載置された状態で施工作業が行われることになることから、施工中に大型建材が落下することをより効果的に防止することができ、多層階において大型建材を施工する場合においても安全かつ容易に施工することができることになる。
【産業上の利用可能性】
【００３９】
本発明の大型建材用施工治具は、大型建材（特に、大型のタイル外装材）の施工に用いることができる。
【符号の説明】
【００４０】
１    大型建材用施工治具（第１治具）
２    載置部材
３    受け部材
４    連結部材
５    把手部
６    調整手段
６ａ  ボルト通し孔（調整手段）
６ｂ  ボルト通し孔（調整手段）
７    大型建材
７ａ  裏面（大型建材）
８    第２治具
９    本体部
１０  締付ボルト部
１１  押さえ部
１２  クランプ
１３  足場
１４  横桟
１５  簡易ウインチ
１６  フック
１７  壁面
１８  板状部材
１８ａ  上辺板部（板状部材）
１８ｂ  中辺板部（板状部材）
１８ｃ  下辺板部（板状部材）
１９  挿入部材
２０  間隔変更部材
２１  第３治具
２２  壁パネル
２３  階間の隙間
【図１】
0006788343.tif 000002
【図２】
0006788343.tif 000003
【図３】
0006788343.tif 000004
【図４】
0006788343.tif 000005
【図５】
0006788343.tif 000006
【図６】
0006788343.tif 000007
【図７】
0006788343.tif 000008
【図８】
0006788343.tif 000009
【図９】
0006788343.tif 000010
【図１０】
0006788343.tif 000011